(57)【要約】【課題】短時間で従来よりも多くの量の血漿成分を血液から分離することができる血漿分離器及びこの血漿分離器を用いた短時間で高精度の血液分析を行うことができる血液分析装置を提供する。【解決手段】血液導入部１１に導入された血液が毛細管流路Ｌを流れることにより、当該血液から血漿成分が分離される血漿分離器１００であって、複数の前記毛細管流路Ｌを、それらの各入口Ｌ１が前記血液導入部１１に開口させるとともに、当該血液導入部１１から放射状に形成した。【選択図】図1
2013160697.tif 000002
【特許請求の範囲】
【請求項１】
血液導入部に導入された血液が毛細管流路を流れることにより、当該血液から血漿成分が分離される血漿分離器であって、
複数の前記毛細管流路が、それらの各入口が前記血液導入部に開口するとともに、当該血液導入部から放射状に形成されていることを特徴とする血漿分離器。
【請求項２】
複数の前記毛細管流路が、前記血液導入部の周囲を囲んで円環状をなすように形成されている請求項１記載の血漿分離器。
【請求項３】
複数の前記毛細管流路の各出口が開口し、分離された血漿成分が貯留される血漿成分貯留部を更に備え、
前記血漿成分貯留部が、前記毛細管流路の外側において円環状をなすように形成されている請求項１又は２記載の血漿分離器。
【請求項４】
表面上に前記血液導入部が形成されているとともに、凹凸構造が当該血液導入部から外側へ放射状に形成された分離部を有する第１基板と、
前記第１基板に対して面板部を密着することにより、前記分離部との間で前記毛細管流路を形成する第２基板と、を更に備えた請求項１乃至３いずれかに記載の血漿分離器。
【請求項５】
前記第２基板において前記凹凸構造の凹部と対向する面と、当該凹凸構造の凹部の側面及び底面が親水性である請求項４記載の血漿分離器。
【請求項６】
前記第１基板の表面上において、円形状に形成された前記血液導入部と、前記血液導入部の周囲を囲むように形成された円環状の前記分離部と、前記分離部の周囲を囲むように形成された円環状の血漿成分貯留部と、が同心円状に形成されており、
前記血漿成分貯留部が、前記第２基板が当該第１基板に密着している状態において空隙を保つための支柱構造を有するものである請求項４又は５記載の血漿分離器。
【請求項７】
請求項１乃至６いずれに記載の血漿分離器と、
前記毛細管流路を通って分離された血漿成分に接触する測定電極を更に備えた血液分析装置。
【発明の詳細な説明】
【技術分野】
【０００１】
本発明は、血液から血漿成分を分離するための血漿分離器及び当該血漿分離器により分離された血漿成分中の所定成分を測定することで血液を分析する血液分析装置に関するものである。
【背景技術】
【０００２】
従来、血液から血漿成分を分離するための血漿分離器としては、特許文献１に示されるような２枚の基板間に形成された毛細管流路を利用したものがある。この血漿分離器は、図１０に示すように表面に断面概略矩形波状の微細な凹凸構造が形成された第１基板１Ａと、前記第１基板１Ａと密着して前記凹凸構造との間で複数の直線状の毛細管流路Ｌを形成するように構成されたものである。そして、各毛細管流路Ｌは、第１基板１Ａに設けられた凹部である血液導入部１１Ａに各入口が開口するとともに、各毛細管流路Ｌが平行となるように並べて形成されている。前記血液導入部１１Ａに血液が導入されると、毛細管現象によって血液中の赤血球等の固形成分は前記毛細管流路Ｌの入口近傍で止められるとともに、液体である血漿成分のみが前記毛細管流路Ｌの出口側へと進行していき、血漿成分を分離することができる。
【０００３】
ところで、このような血漿分離器により分離された血漿成分を用いた血液検査では、さらなる測定精度の向上と分析時間の短縮が求められている。これらの要求を同時に満たすには、血液分析装置の測定電極に接触させる血漿成分の量を従来よりも多くしたり、血漿成分と測定電極の接触面積を大きくしたりするとともに、血液から血漿成分を分離するのにかかる時間を短縮する必要がある。言い換えると、前記血漿分離器により分離される単位時間当たりの血漿成分の量をより多くすることが課題となっている。
【先行技術文献】
【特許文献】
【０００４】
【特許文献１】特開２０１１−９５１５１号公報
【発明の概要】
【発明が解決しようとする課題】
【０００５】
本発明は上述したような問題を鑑みてなされたものであり、短時間で従来よりも多くの量の血漿成分を血液から分離することができる血漿分離器及びこの血漿分離器を用いた血液分析装置を提供することを目的とする。
【課題を解決するための手段】
【０００６】
すなわち、本発明の血漿分離器は、血液導入部に導入された血液が毛細管流路を流れることにより、当該血液から血漿成分が分離される血漿分離器であって、複数の前記毛細管流路が、それらの各入口が前記血液導入部に開口するとともに、当該血液導入部から放射状に形成されていることを特徴とする。
【０００７】
このようなものであれば、複数の前記毛細管流路が、それらの各入口が前記血液導入部に開口するとともに、当該血液導入部から放射状に形成されているので、前記血液導入部に導入される血液の滴に対して、例えばその略全周を囲むように前記毛細管流路の各入口が配置することができる。従って、従来の血漿分離器の場合、図１０に示すように導入された血液の滴のごく一部分しか毛細管流路の入口に接することができず、入口と反対側にある血液は毛細管流路に入るまでに入口側の血液が毛細管流路内に全て入るまで留まっていたのに対して、本発明であれば導入された血液の滴は例えば略全方向において前記毛細管流路に入ることができ、単位時間当たりに毛細管流路に入る血液の量を増やすことができる。
【０００８】
さらに、前記毛細管流路が血液導入部から放射状に形成されているので、従来のように一方向に平行に並べて複数の毛細管流路を形成しているのに比べて、より多くの毛細管流路を設けることができる。
【０００９】
これらのことから、本発明の血漿分離器であれば前記毛細管流路に入っていく短時間当たりの血液の量を多くするとともに、血液から血漿成分の分離が行われる毛細管流路の数も多くすることができるので、単位時間当たりの血漿成分の分離量を従来よりも多くすることができる。
【００１０】
前記血液導入部に導入された血液をより効率よく各毛細管流路に入るようにして、単位時間当たりに分離される血漿成分の量をより増加させるには、複数の前記毛細管流路が、前記血液導入部の周囲を囲んで円環状をなすように形成されているものであればよい。
【００１１】
例えば測定電極と前記毛細管流路を通過して分離された血漿成分との接触面積を大きくとることで、血液分析の分析精度を向上させやすくするためには、複数の前記毛細管流路の各出口が開口し、分離された血漿成分が貯留される血漿成分貯留部を更に備え、前記血漿成分貯留部が、前記毛細管流路の外側において円環状をなすように形成されているものであればよい。
【００１２】
分離された血漿成分中に赤血球等の固形成分が含まれないような精度で前記毛細管流路を容易に形成するための構造としては、表面上に前記血液導入部が形成されているとともに、凹凸構造が当該血液導入部から外側へ放射状に形成された分離部を有する第１基板と、前記第１基板に対して面板部を密着することにより、前記分離部との間で前記毛細管流路を形成する第２基板と、を更に備えたものが挙げられる。
【００１３】
前記毛細管流路により血液から血漿成分が分離される際に、赤血球等の血球成分が当該毛細管流路内に入りにくくし、より分離精度を向上させるには、前記第２基板において前記凹凸構造の凹部と対向する面と、当該凹凸構造の凹部の側面及び底面が親水性であればよい。
【００１４】
導入された血液から血漿成分を効率よく分離し、前記血漿成分貯留部に速やかに血漿成分が貯留されるようにするとともに、前記第１基板及び第２基板を密着させた状態で、前記血漿成分貯留部を所定体積で保ち続けられるようにするには、前記第１基板の表面上において、円形状に形成された前記血液導入部と、前記血液導入部の周囲を囲むように形成された円環状の前記分離部と、前記分離部の周囲を囲むように形成された円環状の血漿成分貯留部と、が同心円状に形成されており、前記血漿成分貯留部が、前記第２基板が当該第１基板に密着している状態において空隙を保つための支柱構造を有するものであればよい。
【００１５】
前記血漿分離器の具体的な使用態様としては、前記毛細管流路を通って分離された血漿成分に接触する測定用電極を更に備えた血液分析装置として構成したものが挙げられる。
【００１６】
分離された血漿成分が前記測定電極に対して大面積で効率よく接触できるようにして、血液分析の分析精度と、分析にかかる時間を短縮できるようにするには、前記第２基板が、前記血液導入部と連通する貫通孔と、前記凹凸形状の凸部にのみ接触し、前記毛細管流路を形成する毛細管流路形成部と、少なくとも一部が前記第１基板の前記血漿成分貯留部と対向して設けられた測定電極と、を更に備えたものであればよい。
【００１７】
前記測定電極と分離された血漿成分との接触面積はできる限り大きくしつつ、導入される血液に直接接触させる必要のある比較電極、対電極を前記第２基板に設けるための具体的な構成例としては、前記第２基板が、比較電極及び対電極を更に備え、前記比較電極及び対電極が、第２基板において前記測定電極と対向する面と、前記貫通孔の内側周面に設けられており、当該内側周面において前記血液導入部に導入される血液と接触し得るように構成されているものが挙げられる。
【発明の効果】
【００１８】
このように本発明の血漿分離器及び血液分析装置によれば、血液導入部から複数の前記毛細管流路を放射状に形成してあるので、導入された血液の滴が略全ての方向から前記毛細管流路に効率よく導入される。また、放射状に前記毛細管流路が形成されていることにより前記血液導入部を囲むように前記毛細管流路を設けることができるので、従来よりも多数の毛細管流路を形成する事が可能となる。従って、本発明によれば単位時間当たりに毛細管流路に入る血液の量を多くできるとともに、しかも血漿成分の分離が生じる毛細管流路の数も多いので、従来よりも単位時間当たりに分離される血漿成分の量を多くすることができる。そして、測定電極に接触させる血漿成分の量や面積を高精度な分析を行うのに十分な量に増やしたとしても、短時間で多量の血漿成分を得ることができるので、血液分析にかかる時間についても短縮することができる。
【図面の簡単な説明】
【００１９】
【図１】本発明の第１実施形態に係る血液分析装置を示す模式的斜視図。
【図２】同第１実施形態に係る血液分析装置の各部材を示す模式的分解斜視図。
【図３】同第１実施形態における第１基板の面板部の構造を示す模式図。
【図４】同第１実施形態における分離部において形成された凹凸構造を示す模式的拡大図。
【図５】同第１実施形態における第１基板と第２基板により形成される毛細管流路を示す模式的斜視図。
【図６】同第１実施形態における血漿成分貯留部において形成された支柱構造を示す模式的拡大図。
【図７】同第１実施形態における第２基板の各面板部の構造を示す模式図。
【図８】同第１実施形態における血液導入部に導入された血液から分離部により血漿成分が分離される過程を示す模式図。
【図９】本発明の第２実施形態に係る血液分析装置の構造を示す模式的斜視図。
【図１０】従来の血漿分離器の構造を示す模式図。
【発明を実施するための形態】
【００２０】
本発明の第１実施形態について図１乃至８を参照しながら説明する。
【００２１】
＜第１実施形態の構成＞
【００２２】
第１実施形態の血漿分離器１００及びこの血漿分離器１００を用いた血液分析装置２００は、血液から分離された血漿成分に含まれる尿酸等の所定成分の濃度を測定するためのものである。図１及び図２の斜視図に示すように、前記血液分析装置２００は、血液から血漿成分を分離する血漿分離器１００と、分離された血漿成分に接触させるための測定電極２１と、導入された血液に接触させるための比較電極２２及び対電極２３と、前記測定電極２１に電圧を印加して流れる電流値を測定することにより、血漿成分中に含まれる尿酸等の所定成分の濃度を算出するＣＰＵ及びメモリ等から構成された情報処理装置３と、から構成したものである。また、前記血漿分離器１００は、使い捨てのカートリッジであって前記情報処理装置３に設けられた挿入口（図示しない）に挿入されて、各電極と前記情報処理装置３とが電気的に接続された状態で、測定対象の血液が滴下されて血漿分離器１００の内部に血液が導入されるようにしてある。
【００２３】
なお、血漿成分は、水分及び血漿タンパク質等を含む成分であり、所定の大きさ（本実施形態では２μｍ）よりも小さい分離対象成分である。また、血球成分は、赤血球、白血球及び血小板を含む成分であり、前記所定の大きさ（２μｍ）よりも大きい非分離対象成分である。
【００２４】
前記血漿分離器１００は、図１及び図２に示すように面板部が正方形状の第１基板１と、面板部が第１基板１を概略２つ分並べた長方形状の第２基板２と、から構成してあり、前記第１基板１の上側に前記第２基板２の先端側を重ねた形状としてある。そして、前記第２基板２に設けられた貫通孔２４から第１基板１上に形成された概略円板状の血液導入部１１に血液が導入されるようにしてある。また、前記血液導入部１１の外側には、前記第１基板１と前記第２基板２を重ね合わせることにより形成された複数の毛細管流路Ｌが前記血液導入部１１に対して放射状に配置してある。さらに、前記毛細管流路Ｌの出口側には分離された血漿成分が貯留される血漿成分貯留部１３が概略円環状に形成してあるとともに、この血漿成分貯留部１３に対して前記測定電極２１の一部を対向させて設けてある。
【００２５】
各部について詳述する。
【００２６】
前記第１基板１は、成型が容易であり安価な合成樹脂である例えばＰＭＭＡ等からなり、図２及び図３に示すように中央部から外側に向かって、血液導入部１１と、前記毛細管流路Ｌを形成するための微細な凹凸構造が形成されている分離部１２と、前記毛細管流路Ｌを通過した血漿成分が貯留される血漿成分貯留部１３と、が同心円状に形成してある。また、前記血液導入部１１、前記分離部１２の一部、前記血漿成分貯留部１３の一部は前記第１基板１の表面１ｈよりわずかに凹んだ領域に形成してある。
【００２７】
前記血液導入部１１は、概略平円板状に形成されており、その側周面の全域にわたって前記毛細管流路Ｌの入口Ｌ１が開口している。
【００２８】
前記分離部１２は、図２及び図３において左斜め方向にハッチングが施された円環状に形成された領域に相当するものであり、図４に示すような多数の微細な直方体要素１２ａにより凹凸構造が形成してある。各直方体要素１２ａは、前記血液導入部１１の中心（第１基板１の面板部中心）を仮想中心点として配置されており、その形状は高さ寸法及び周方向寸法よりも半径方向寸法の方が長くなるように形成してある。そして、各直方体要素１２ａは、所定半径ごとに周方向に並べて配置されることにより、前記血液導入部１１に対してその周囲を全て囲うように放射状に配置してある。また、図４に示すように直方体要素１２ａが配置される半径が異なっていても、周方向の配置間隔は常にｄ１で一定になるように配置してある。つまり、円環において内側に配置されている直方体要素１２ａの数よりも円環の外側に配置されている直方体要素１２ａの数の方が多くなる。また、中心から半径方向に見た場合に、各直方体要素１２ａが一直線上に並ばないことになる。また、各直方体要素１２ａの半径方向の配置間隔はｄ２で一定になるように配置してある。なお、本実施形態では前記直方体要素１２ａの半径方向の寸法を２０μｍ、高さ方向の寸法を２μとしているところ、１２μｍとしてあり、ｄ１、ｄ２の具体的な値として各々１２μｍに設定してある。ｄ１及びｄ２は異なる値であっても構わない。
【００２９】
この分離部１２に形成された凹凸構造は、前記第２基板２の裏面２ｔが密着されることにより図５にしおいて二点鎖線の矢印で示すような多数の毛細管流路Ｌを形成する。つまり、前記各直方体要素１２ａが前記血液導入部１１に対してその側周面を囲うように放射状に配置されているので、前記毛細管流路Ｌも前記血液導入部１１に対して放射状に形成されることになる。なお、図５に示しているように、毛細管流路Ｌは入口Ｌ１から出口まで１本でつながっているものだけでなく、途中で分岐するものも含む概念のものである。
【００３０】
さらに、前記第２基板２において前記凹凸構造の凹部と対向する面と、当該凹凸構造の凹部の側面及び底面には親水性処理が施してある。言い換えると、前記第１基板１及び前記第２基板２において前記毛細管流路Ｌが形成される全ての面には親水性処理が施してある。より具体的には、直方体要素１２ａの第２基板２の側周面と、前記分離部１２の底面、前記第２基板２において前記凹凸構造の底面と対向する部分には、親水性処理を施してある。親水性処理の具体的な方法としては紫外線の照射する方法や、ポリＬリジン、アミン等を用いて表面修飾をする方法等が挙げられる。このような構造で前記毛細管流路Ｌを形成することで、毛細管流路Ｌの入口Ｌ１において血球成分が止められ、血漿成分のみが外周側へと流れていくようにすることができる。また、内側より外側に行くほど前記直方体要素１２ａの数が多くなるように構成してあるので、常に一定の隙間を保つことができ、仮に入口Ｌ１を通過する血球成分があったとしても次の直方体要素１２ａにより止めることができ、血漿成分の分離精度を高めることができる。
【００３１】
前記血漿成分貯留部１３は、前記分離部１２の更に外側において円環状に形成されたものであり、図２及び図３において右斜め方向にはハッチングを施した領域に相当するものである。そして、当該血漿成分貯留部１３には、前記第２基板２が前記第１基板１に密着した状態において、所定の体積が保たれるように支柱構造が形成してある。前記支柱構造は、図６に示すように上下面が正方形状の微細な直方体形状に形成された多数の支柱要素１３ａにより構成してある。この支柱要素１３ａは例えば縦横が７μｍ、高さが２μｍであり、各支柱要素１３ａを所定距離ｄ３（例えば１２、２５、４０μｍ）だけ離間させて等間隔で設けてある。
【００３２】
なお、前記分離部１２及び前記血漿成分貯留部１３に形成されている微細パターンは例えば、予め作成した型を第１基板１の表面１ｈに押し付けることにより形成してある。
【００３３】
次に前記第２基板２の構造について詳述する。
【００３４】
前記第２基板２も、前記第１基板１と同様にＰＭＭＡ等で形成されており、前記第１基板１との間で前記毛細管流路Ｌを形成するための構造と、血液分析に必要な各電極を分離された血漿成分又は導入された血液に接触させるための構造と、を有したものである。
【００３５】
前記毛細管流路Ｌを形成するための構造に関連する部分について説明すると、前記第２基板２は、図２及び図７に示すように前記血液導入部１１と連通するように各面板部を貫通させた貫通孔２４と、平面視において前記分離部１２と同形状の円環状の平面であり、前記凹凸形状の凸部にのみ接触し、前記毛細管流路Ｌを形成する毛細管流路形成部２５と、を備えている。
【００３６】
血液分析に必要な各電極を分離された血漿成分又は導入された血液に接触させるための構造について説明すると、図２及び図７（ａ）に示すように前記第２基板２の裏面２ｔ（第１基板１の表面１ｈと密着する面）には、測定電極２１が前記血漿成分貯留部１３に貯留される血漿成分と接触するように設けてある。一方、図２及び図７（ｂ）に示すように前記第２基板２の表面２ｈ（第１基板１と接触しない面）には、血漿成分と分離されていない導入された血液と接触させる必要のある比較電極２２及び対電極２３が設けてある。なお、各電極は、第２基板２の各面板部に形成された溝に電極材料を塗布し、乾燥させた後研磨することによって形成してある。
【００３７】
前記測定電極２１は、炭素電極であって、図１及び図７に示すように血漿成分と接触する血漿成分接触部２１ａは、平面視において前記血漿成分貯留部１３と重なりあうように円環状の同じ形に形成してある。
【００３８】
前記比較電極２２は銀／塩化銀電極であり、前記対電極２３は銀／炭素電極であって、図１及び図２に示すようにその先端側が前記貫通孔２４の内側周面に一部が設けられており、導入される血液と接触が取れるようにしてある。また、前記比較電極２２及び前記対電極２３の基端側は、概略コの字状に曲げられた状態となっており、前記第２基板２の表面２ｈと裏面２ｔの両方に露出するようにしてある。すなわち、第２基板２の裏面２ｔにおいて、測定電極２１、比較電極２２、対電極２３は前記情報処理装置３との間で電気的な接続を取れるように構成してある。
【００３９】
このように構成された血漿分離器１００による血漿成分の分離過程について図８を参照しながら説明する。
【００４０】
＜第１実施形態の血漿成分の分離過程＞
【００４１】
まず、図８（ａ）に示すように前記貫通孔２４を介して前記血液導入部１１に対して血液の滴が落とされることになる。この落とされた血液は自重等により外側へと広がっていき、前記血液導入部１１の全側周面に開口する前記毛細管流路Ｌの入口Ｌ１に到達する。そして、図８（ｂ）この入口Ｌ１において血球成分は止められる一方、液体である血漿成分は略同心円状に前記毛細管流路Ｌ内を広がっていくことになる。最後に、図８（ｃ）に示すように前記毛細管流路Ｌを通過した血漿成分は更に外側にある血漿成分貯留部１３に貯留されるとともに、前記第２基板２に設けられた測定電極２１の血漿成分接触部２１ａと接触することになる。
【００４２】
＜第１実施形態の効果＞
【００４３】
このように第１実施形態の血漿分離器１００及び血液分析装置２００によれば、前記血液導入部１１の側周面の全域にわたって毛細管流路Ｌの入口Ｌ１が開口するとともに、当該毛細管流路Ｌが放射状に形成されているので、導入された血液の全周から毛細管流路Ｌ内へ流入させることができる。従って、毛細管流路Ｌが平行に並べて形成されているため血液の一部分からしか毛細管流路Ｌ内に血液が流入しない従来の血漿分離器１００に比べて、第１実施形態の血漿分離器１００は毛細管流路Ｌ内に単位時間当たりに流入する血液の量を多くすることができる。また、前記血液導入部１１に対して放射状に前記毛細管流路Ｌが形成されていることから、従来よりも多数の毛細管流路Ｌを形成することができるので、単位時間当たりに分離される血漿成分の量をさらに増やすことができる。
【００４４】
これらのことから、第１実施形態の血漿分離器１００であれば、従来の血漿分離器１００と比較して単位時間当たりの血漿成分の分離量を大幅に増加させることができるので、第１実施形態で示したように測定電極２１の血漿成分接触部２１ａを大きくし接触面積を大きくすることで血液分析の分析精度を向上させつつ、分析時間も短縮する事が可能となる。
【００４５】
＜第２実施形態の構成＞
【００４６】
次に第２実施形態の血漿分離器１００及び血液分析装置２００について図９を参照しながら説明する。なお、第１実施形態と対応する部材については同じ符号を付すこととする。
【００４７】
前記第１実施形態では、前記毛細管流路Ｌは前記血液導入部１１に周囲を全て囲うように放射状に形成されていたが、第２実施形態では一部に切り欠きを有するように構成してある。また、前記第１実施形態では、前記測定電極２１のみが第２基板２の裏面２ｔに設けられており、前記比較電極２２、前記対電極２３に関しては第２基板２の表面２ｈに設けていたが、第２実施形態では全ての電極を同一面に設けるようにしてある。
【００４８】
すなわち、図９に示すように第１基板１上においては、前記分離部１２、前記血漿成分貯留部１３を切り欠きが形成された部分円環状に形成するとともに、第２基板２に設けられる測定電極２１の血漿成分接触部２１ａも切り欠きが形成された部分円環状に形成してある。さらに、前記第２基板２において前記測定電極２１と同一面に形成された前記比較電極２２、前記対電極は、前記血漿成分接触部２１ａの切り欠き部分を通って、前記貫通孔２４内に露出するように配線してある。
【００４９】
このようなものであっても、前記毛細管流路Ｌが前記血液導入部１１に対して放射状に設けられているので、従来の血漿分離器１００と比較して血漿成分の単位時間当たりの分離量を増加させることができる。さらに、第２実施形態であれば、各電極が同一面に形成されているので、第１実施形態に比べて第２基板２の製造が容易になる。
【００５０】
その他の実施形態について説明する。
【００５１】
前記毛細管流路及び前記分離部の形状としては、円環状又は部分円環状に限られるものではなく、前記血液導入部に対して放射状に形成されるものであればよい。このようなものであれば、従来の平行に並べて毛細管流路が形成されている場合に比べて単位時間当たりの血漿成分の分離量を増加させることができる。
【００５２】
その他、本発明の趣旨に反しない限りにおいて様々な変形や、実施形態の組み合わせを行っても構わない。
【符号の説明】
【００５３】
２００・・・血液分析装置
１００・・・血漿分離器
１    ・・・第１基板
１１  ・・・血液導入部
１２  ・・・分離部
１３  ・・・血漿成分貯留部
２    ・・・第２基板
２１  ・・・測定電極
２１ａ・・・血漿成分接触部
２２  ・・・比較電極
２３  ・・・対電極
２４  ・・・貫通孔
２５  ・・・毛細管流路形成部
Ｌ    ・・・毛細管流路
Ｌ１  ・・・入口
【図１】
2013160697.tif 000003
【図２】
2013160697.tif 000004
【図３】
2013160697.tif 000005
【図４】
2013160697.tif 000006
【図５】
2013160697.tif 000007
【図６】
2013160697.tif 000008
【図７】
2013160697.tif 000009
【図８】
2013160697.tif 000010
【図９】
2013160697.tif 000011
【図１０】
2013160697.tif 000012